(57)【要約】【課題】  煩雑な操作が不要であり、以前の回の番組に対して記録の予約を確実に行うことができる「デジタル放送受信機」を提供する。【解決手段】  デジタル放送受信機１００は、放送番組の放送予定が含まれる電子番組案内とシリーズものの放送番組を受信するフロントエンド部１０、ベースバンド処理部１２、データ分離部１４、音声／映像デコード部１６と、番組の視聴が指示されたときに電子番組案内に基づいてそれ以前の回であってその時点以後に放送される番組を検索してその番組予約を行う制御部２０と、番組予約された番組をその放送時間帯に記録する番組記録再生処理部２４、ハードディスク装置２６とを備える。【選択図】        図１
2005184282.tif 000002
【特許請求の範囲】
【請求項１】
放送番組の放送予定が含まれる番組案内情報と、番組内容が連続している複数回分の放送番組のそれぞれとを受信可能な番組受信手段と、
前記複数の放送番組のいずれかに対して番組内容の出力動作が指示されたときに、前記番組案内情報に基づいて、それ以前の回であってその時点以後に放送される前記放送番組を検索する番組検索手段と、
前記番組検索手段によって検索された前記放送番組の記録を予約する番組予約手段と、
前記番組予約手段によって予約された前記放送番組をその放送時間帯に記録する番組記録手段と、
を備えることを特徴とするデジタル放送受信機。
【請求項２】
請求項１において、
前記複数回分の放送番組のそれぞれには、連続する番組内容本体部分と、次回の放送番組の概略を予告する番組予告部分とが含まれており、
前記複数の放送番組のいずれかに対して番組内容の出力動作が指示された場合であって、一つ前の回の前記放送番組が前記番組記録手段によって既に記録されている場合に、この記録済みの放送番組に含まれる前記番組予告部分を再生する番組再生手段をさらに備えることを特徴とするデジタル放送受信機。
【請求項３】
請求項２において、
前記番組再生手段は、前記番組予告部分を再生中に切り替え指示がなされた場合であって、その前あるいは後の回の前記放送番組が前記番組記録手段によって既に記録されている場合に、この記録済みの放送番組に含まれる前記番組予告部分に再生対象を切り替えることを特徴とするデジタル放送受信機。
【請求項４】
請求項３において、
前記番組再生手段は、前記番組予告部分を再生中に所定の再生指示がなされたときに、その番組予告部分で概略が予告されている次回の前記放送番組に含まれる前記番組内容本体部分を再生することを特徴とするデジタル放送受信機。
【請求項５】
請求項２〜４のいずれかにおいて、
前記番組記録手段による記録動作によって前記放送番組が格納される番組記録媒体の空容量が所定値を下回ったときに、再生が終了した前記放送番組に含まれる前記番組内容本体部分を削除して空容量を増やす番組削除手段をさらに備えることを特徴とするデジタル放送受信機。
【請求項６】
請求項１において、
前記複数回分の放送番組のそれぞれには、連続する番組内容本体部分と、次回の放送番組の概略を予告する番組予告部分とが含まれており、
前記番組予約手段は、前記番組検索手段によって検索された前記放送番組に含まれる前記番組予告部分の記録を予約することを特徴とするデジタル放送受信機。
【発明の詳細な説明】
【技術分野】
【０００１】
本発明は、番組予約を行って放送番組の記録を行うデジタル放送受信機に関する。
【背景技術】
【０００２】
従来から、電子番組案内（ＥＰＧ）を用いて再生対象や予約対象の放送番組を指定するデジタル放送受信機が知られている（例えば、特許文献１参照。）。このデジタル放送受信機では、視聴者が毎回決まって視聴する番組を自動的に判断して予約動作を行う。例えば、番組内容が連続している番組が毎週放送される場合に、２週続けて同じ番組が視聴されたときに、同じ番組の次週の録画予約が自動的に行われる。これにより、煩雑な予約操作等を行うことなく、次回以降の回の番組を見逃すことなく視聴することができるようになる。
【特許文献１】特開平１０−２２９５２６号公報（第２−９頁、図１−６）
【発明の開示】
【発明が解決しようとする課題】
【０００３】
ところで、上述した特許文献１に開示されたデジタル放送受信機では、連続して２回同じ番組を視聴したときに、同じ番組に対して次回以降の録画予約を自動的に行うものであるため、それ以前の回で見逃してしまった番組がその時点以降に放送される予定があっても録画予約の対象にはならない。しかし、一般には途中の回から番組を視聴した視聴者は、番組の内容に興味を持った場合には、それ以前の回の番組も視聴したいと思うものであり、このような視聴者の要求に応えることができなかった。特に、次回以降の番組については同じ時間帯（例えば、毎週同じ時間）に放送される場合が多いため、その時間帯に次の回の番組を視聴したり録画予約したりすることは比較的容易であると考えられる。ところが、同じ番組であっても前回までの番組については、再放送のための特別な時間帯が割り当てられている場合が多いため、どの時間帯で放送されているかがわかりにくくなっている場合が多い。したがって、以前の回の番組の録画予約をしようとすると、電子番組案内を詳細に調べて放送時間帯を探す必要があり、操作が煩雑になるとともに記録の予約を確実に行うことができないという問題があった。
【０００４】
本発明は、このような点に鑑みて創作されたものであり、その目的は、煩雑な操作が不要であり、以前の回の番組に対して記録の予約を確実に行うことができるデジタル放送受信機を提供することにある。
【課題を解決するための手段】
【０００５】
上述した課題を解決するために、本発明のデジタル放送受信機は、放送番組の放送予定が含まれる番組案内情報と、番組内容が連続している複数回分の放送番組のそれぞれとを受信可能な番組受信手段と、複数の放送番組のいずれかに対して番組内容の出力動作が指示されたときに、番組案内情報に基づいて、それ以前の回であってその時点以後に放送される放送番組を検索する番組検索手段と、番組検索手段によって検索された放送番組の記録を予約する番組予約手段と、番組予約手段によって予約された放送番組をその放送時間帯に記録する番組記録手段とを備えている。視聴が指示された番組よりも前の回の番組であって、その時点以後に放送される番組が検索され、自動的に記録が予約されるため、複雑な操作が不要であるとともに、以前の回の番組に対して記録の予約を確実に行うことが可能になる。
【０００６】
また、上述した複数回分の放送番組のそれぞれには、連続する番組内容本体部分と、次回の放送番組の概略を予告する番組予告部分とが含まれており、複数の放送番組のいずれかに対して番組内容の出力動作が指示された場合であって、一つ前の回の放送番組が番組記録手段によって既に記録されている場合に、この記録済みの放送番組に含まれる番組予告部分を再生する番組再生手段をさらに備えることが望ましい。これにより、今回視聴しようとしている番組内容本体部分が、既に視聴済みであるか否かを容易に確認することができ、一度視聴した番組を勘違いによって再度視聴してしまうことを回避することが可能になる。
【０００７】
また、上述した番組再生手段は、番組予告部分を再生中に切り替え指示がなされた場合であって、その前あるいは後の回の放送番組が番組記録手段によって既に記録されている場合に、この記録済みの放送番組に含まれる番組予告部分に再生対象を切り替えることが望ましい。これにより、記録済みの各番組予告部分の内容をさかのぼって確認することが可能になり、内容が連続する番組のそれまでの話の流れを容易に確認することができる。
【０００８】
また、上述した番組再生手段は、番組予告部分を再生中に所定の再生指示がなされたときに、その番組予告部分で概略が予告されている次回の放送番組に含まれる番組内容本体部分を再生することが望ましい。これにより、番組予告部分で視聴していないことが確認された場合に、対応する番組内容本体部分を簡単な操作で再生することが可能になる。
【０００９】
また、上述した番組記録手段による記録動作によって放送番組が格納される番組記録媒体の空容量が所定値を下回ったときに、再生が終了した放送番組に含まれる番組内容本体部分を削除して空容量を増やす番組削除手段をさらに備えることが望ましい。これにより、番組内容本体部分を削除することで空容量を大幅に増やすことが可能になるとともに、番組予告部分を残すことで番組内容本体部分を削除した番組についても概略的な内容把握が可能になる。
【００１０】
また、上述した複数回分の放送番組のそれぞれには、連続する番組内容本体部分と、次回の放送番組の概略を予告する番組予告部分とが含まれており、番組予約手段は、番組検索手段によって検索された放送番組に含まれる番組予告部分の記録を予約することが望ましい。これにより、前回までの番組内容の概略を把握することによって話の流れを知ることができ、しかも番組予告部分のみが記録されるためこのために必要な記録容量を少なくすることが可能になる。
【発明を実施するための最良の形態】
【００１１】
以下、本発明を適用した一実施形態のデジタル放送受信機について、図面を参照しながら詳細に説明する。
【００１２】
図１は、一実施形態のデジタル放送受信機１００の構成を示す図である。図１に示すように、デジタル放送受信機１００は、フロントエンド部（Ｆ／Ｅ）１０、ベースバンド処理部１２、データ分離部１４、音声／映像デコード部１６、アンプ１８、制御部２０、画像合成部２２、番組記録再生処理部２４、ハードディスク装置２６、操作部２８を含んで構成されている。
【００１３】
フロントエンド部１０は、アンテナ３０を介して受信した放送信号の中から所望の受信周波数成分を抽出するとともに、この抽出した信号に対して周波数変換を行った中間周波信号を出力する。ベースバンド処理部１２は、フロントエンド部１０から出力される中間周波信号に対してＱＰＳＫ復調、アナログ−デジタル変換、エラー訂正（ＦＥＣ：Forward Error Correction）等を行うことにより、ＭＰＥＧ２形式のトランスポートストリームを生成する。
【００１４】
データ分離部１４は、トランスポートストリームに含まれるＶｉｄｅｏトランスポートパケット、Ａｕｄｉｏトランスポートパケット、システムトランスポートパケットから、それぞれに対応する映像データ、音声データ、付加情報を分離する。この付加情報には、電子番組案内ＥＰＧを作成するために必要なイベント・インフォメーション・テーブル（ＥＩＴ：Event Information Table ）等が含まれている。このテーブルには、各放送チャンネル毎に番組の名称、番組開始時刻、番組長（放送時間長）等の情報が含まれている。また、この付加情報には、テロップ（字幕）として表示される文字データも含まれている。
【００１５】
音声／映像デコード部１６は、入力される映像データを映像信号に、音声データを音声信号にそれぞれデコードするとともに、これらの音声信号をアンプ１８に、映像信号を画像合成部２２に出力する。
【００１６】
制御部２０は、デジタル放送受信機１００全体を制御するものであり、フロントエンド部１０による受信周波数の設定や、ベースバンド処理部１２、音声／映像デコード部１６に対する視聴対象のチャンネルの指示や、付加情報に基づく電子番組案内ＥＰＧの生成およびこの電子番組案内ＥＰＧを用いた番組の検索等の各種制御を行う。電子番組案内ＥＰＧは、所定の表示形式の画像として生成され、画像合成部２２に向けて出力される。
【００１７】
また、本実施形態では、受信する放送番組としては、内容が連続している複数回分の放送番組がシリーズとなっている場合を想定しており、各回の放送番組には、連続する内容のそれぞれに対応する「番組内容本体部分」と、次回の放送番組の概略を予告する「番組予告部分」とが含まれており、番組予告部分に対応する映像表示が行われる際には画面の一部に「次回予告」等の文字が表示されるようになっている。この文字に対応する画像は、付加情報に基づいて制御部２０によって生成される。
【００１８】
また、制御部２０は、受信した各放送番組に対する番組予約（記録の予約）や、この番組予約内容に基づく放送番組の記録制御（番組予約がなされた放送時間帯になったときに記録を指示する制御）、記録された放送番組の再生制御を行う。番組予約の詳細については後述する。
【００１９】
画像合成部２２は、音声／映像デコード部１６から入力される映像信号と制御部２０から入力される画像（ＥＰＧの画像の他に制御部２０によって生成される文字データ等の画像が含まれている）を合成し、外部接続されたディスプレイ装置３２に映像を表示する。
【００２０】
番組記録再生処理部２４は、制御部２０による記録制御にしたがって、受信中あるいは番組予約された放送番組の内容を所定方式（例えばＭＰＥＧ２方式）で圧縮してハードディスク装置２６に記録するとともに、制御部２０による再生制御にしたがって、ハードディスク装置２６に記録された放送番組を再生する。例えば、番組記録再生処理部２４は、再生処理を行うために上述した音声／映像デコード部１６と同様の機能を有しており、再生処理時には映像信号を画像合成部２２に、音声信号をアンプ１８にそれぞれ入力する（図１ではそれぞれの入力経路については省略されている）。
【００２１】
操作部２８は、視聴対象となる放送番組の指定や、番組予約および記録された番組の再生指示等を行うものである。
【００２２】
上述したフロントエンド部１０、ベースバンド処理部１２、データ分離部１４、音声／映像デコード部１６が番組受信手段に、制御部２０が番組検索手段、番組予約手段に、制御部２０、番組記録再生処理部２４、ハードディスク装置２６が番組記録手段、番組再生手段にそれぞれ対応する。また、電子番組案内ＥＰＧあるいは付加情報が番組案内情報に対応する。
【００２３】
本実施形態のデジタル放送受信機１００はこのような構成を有しており、次にその動作を説明する。
【００２４】
図２は、本実施形態のデジタル放送受信機１００の動作手順を示す流れ図であり、シリーズものの放送番組の視聴が指示されたときに自動的にそれ以前の回の番組予約を行う動作手順が示されている。
【００２５】
制御部２０は、視聴者によって操作部２８が操作されて番組の視聴が指示されたか否かを判定しており（ステップ１００）、番組の視聴が指示されない場合には否定判断を行ってこの判定を繰り返す。また、番組の視聴が指示されるとステップ１００の判定において肯定判断が行われ、次に、制御部２０は、この視聴が指示された番組は、シリーズものであるか否かを判定する（ステップ１０１）。ここで、シリーズものの番組とは、番組内容が連続している放送番組であり、通常は毎日あるいは毎週等の同じ時間枠で放送される連続ドラマのような番組を想定している。なお、放送時間については、必ずしも毎回同じである必要はなく、各回の番組の最後に、次回の番組の放送時間が告知されるような場合であってもよい。視聴が指示された番組がシリーズものでない場合にはステップ１０１の判定において否定判断が行われ、番組内容の通常の表示等が行われる（ステップ１０２）。
【００２６】
また、視聴が指示された番組がシリーズものである場合にはステップ１０１の判定において肯定判断が行われ、次に、制御部２０は、視聴が指示された番組がシリーズの１回目の放送分であるか否かを判定する（ステップ１０３）。１回目の放送である場合には肯定判断が行われ、ステップ１０２に移行して番組内容の通常の表示等が行われる。
【００２７】
一方、視聴が指示された番組がシリーズものであって１回目の放送分でない場合にはステップ１０３の判定において否定判断が行われ、次に、制御部２０は、視聴の指示が番組開始直後になされたか否かを判定する（ステップ１０４）。番組開始直後になされた場合には肯定判断が行われ、次に、この番組は既に記録済みであるか否かを判定する（ステップ１０５）。この判定はハードディスク装置２６に記録されている各番組の内容を調べることにより行われる。記録済みでない場合にはステップ１０５の判定において否定判断が行われ、次に、制御部２０は、番組記録再生処理部２４に記録指示を送って番組内容の記録を開始する（ステップ１０６）。
【００２８】
このようにして番組記録が開始された後、あるいは、視聴を開始した番組が既に記録済みであってステップ１０５の判定において肯定判断が行われた場合にはその後に、制御部２０は、同じシリーズの番組であって、視聴が指示された回の前回までの各回の番組を電子番組案内ＥＰＧを用いて検索する（ステップ１０７）。例えば、電子番組案内ＥＰＧを用いた番組の検索は、番組の名称や番組時間等を用いて行われる。また、これらの検索は番組予約を行うために行うものであり、番組予約が可能な時間帯、すなわち現時点以降の放送時刻に対応した内容が検索の対象となる。また、定期的に同じ時間帯で放送されているシリーズものの番組については、今回の番組より後に前回までの各回の番組が放送されることはないため、実際には、同じシリーズの番組であって既に少なくとも１回は放送が終了している再放送の番組が検索対象となると考えられる。
【００２９】
次に、制御部２０は、検索の結果、該当する番組が存在するか否かを判定する（ステップ１０８）。なお、視聴の指示が番組開始後ある程度経過してからなされている場合（途中から視聴を開始した場合）にはステップ１０４で否定判断が行われ、今回の番組までを含む各回の番組が検索の対象となる（ステップ１０９）。
【００３０】
該当する番組が存在する場合にはステップ１０８の判定において肯定判断が行われ、次に、制御部２０は、該当する番組の中で記録済みでない番組について番組予約を行う（ステップ１１０）。このようにして、シリーズものの番組の視聴が指示されたときに、前回あるいは今回までの各回の番組予約が、記録済みでない番組について自動的に行われる。
【００３１】
次に、あるいは、電子番組案内ＥＰＧを用いた番組検索の結果該当する番組が存在しなかった場合にはステップ１０８の判定において否定判断が行われた後、制御部２０は、今回視聴が指示された回の番組の一つ前の回の番組が既に記録されているか否かを判定する（ステップ１１１）。実際には、この判定内容は上述したステップ１０８の判定動作と重複しているため、ステップ１０８の判定結果をそのまま用いるようにしてもよい。
【００３２】
前回の番組が記録済みである場合にはステップ１１１の判定において肯定判断が行われ、次に、制御部２０は、番組記録再生処理部２４に前回の番組に含まれる番組予告部分の再生指示を送り、この番組予告部分が再生される（ステップ１１２）。番組予告部分には、「次回予告」等の文字の画像が付加される場合が多いため、この文字部分を検出することにより、番組全体の中から番組予告部分の開始位置を知ることができ、この番組予告部分のみを再生することができる。なお、データ分離部１４によって分離された映像データあるいは付加情報に、番組予告部分であることを示す特定のデータが含まれている場合には、このデータを用いて番組予告部分の開始位置を知るようにしてもよい。この番組予告部分の再生と並行して、あるいはこの番組予告部分の再生が終了した後、制御部２０は、切り替え指示がなされたか否かを判定する（ステップ１１３）。この切り替え指示は、番組予告部分の再生対象となる番組を切り替えるための指示であり、視聴者が操作部２８の所定キーを押下することにより行われる。例えば、さらに一つ前の回の番組に番組予告部分の再生対象を切り替える場合に操作部２８の左矢印キーが押下され、一つ後の回の番組に番組予告部分の再生対象を切り替える場合に操作部２８の右矢印キーが押下される。
【００３３】
切り替え指示がなされた場合にはステップ１１３の判定において肯定判断が行われ、次に、制御部２０は、切り替え先の回の番組が既に記録されているか否かを判定する（ステップ１１４）。切り替え先の回の番組が記録済みである場合には肯定判断が行われ、ステップ１１２に戻ってその番組の番組予告部分の再生が行われる。また、切り替え先の回の番組が記録されていない場合にはステップ１１４の判定において否定判断が行われ、ステップ１１３に戻って切り替え指示の有無判定が繰り返される。
【００３４】
また、切り替え指示がなされない場合にはステップ１１３の判定において否定判断が行われ、次に、制御部２０は、現在再生されている番組予告部分に対応する本編再生が指示されたか否かを判定する（ステップ１１５）。番組予告部分に対応する本編とは、番組予告部分で内容の概略が示された次回の番組に含まれる番組内容本体部分のことであり、この部分の再生指示がなされている場合にはステップ１１５において肯定判断が行われる。次に、制御部２０は、番組記録再生処理部２４に指示を送って該当する番組内容本体部分が含まれる番組の再生が行われる（ステップ１１６）。
【００３５】
また、今回視聴が指示された回の番組の一つ前の回の番組が記録されていない場合にはステップ１１１の判定において否定判断が行われる。この場合には、制御部２０は、番組記録再生処理部２４に指示を送って、今回視聴が指示された番組の再生が行われる（ステップ１１７）。
【００３６】
このように、視聴が指示されたシリーズものの番組よりも前の回の番組であって、その時点以後に放送される番組が検索され、自動的に記録が予約されるため、複雑な操作が不要であるとともに、以前の回の番組に対して記録の予約を確実に行うことが可能になる。
【００３７】
また、シリーズものの番組の視聴が指示された場合であって、一つ前の回の番組が記録済みである場合には、この記録済みの放送番組に含まれる番組予告部分が再生されるため、今回視聴しようとしている番組内容本体部分が、既に視聴済みであるか否かを容易に確認することができ、一度視聴した番組を勘違いによって再度視聴してしまうことを回避することが可能になる。
【００３８】
また、番組予告部分を再生中に切り替え指示がなされた場合に、前あるいは後の回の番組に含まれる番組予告部分に再生対象を切り替えることができるため、記録済みの各番組予告部分の内容をさかのぼって確認することが可能になり、内容が連続する番組のそれまでの話の流れを容易に確認することができる。
【００３９】
また、番組予告部分を再生中に所定の再生指示がなされたときにその番組予告部分で概略が予告されている次回の番組に含まれる番組内容本体部分を再生することができるため、番組予告部分で視聴していないことが確認された場合に、対応する番組内容本体部分を簡単な操作で再生することが可能になる。
【００４０】
なお、本発明は上記実施形態に限定されるものではなく、本発明の要旨の範囲内において種々の変形実施が可能である。上述した実施形態では、映像を伴う放送番組を受信するデジタル放送受信機１００について説明したが、音声のみの放送番組を受信するデジタル放送受信機についても同様に本発明を適用することができる。
【００４１】
また、上述した実施形態では、電子番組案内ＥＰＧを用いてシリーズものを構成する各番組の検索を行ったが、電子番組案内ＥＰＧを生成するために用いられた付加情報を用いたり、その他の情報を用いるようにしてもよい。また、番組の記録をハードディスク装置２６を用いて行ったが、他の種類の記録媒体（例えば大容量の光ディスク）を用いるようにしてもよい。
【００４２】
また、上述した実施形態では、番組を記録するハードディスク装置２６の空き容量については特に説明せずに、十分な容量が確保できている場合を想定したが、空き容量が所定値を下回った場合には、再生が終了した番組に含まれる番組内容本体部分を優先的に削除して空容量を増やすようにしてもよい。この削除動作は、番組削除手段として機能する制御部２０によって行われる。このように、番組内容本体部分を削除することで空容量を大幅に増やすことが可能になるとともに、番組予告部分を残すことで番組内容本体部分を削除した番組についても概略的な内容把握が可能になる。
【００４３】
また、上述した実施形態では、シリーズものの番組の視聴が指示されたときに、それ以前の番組全体について番組予約を行うようにしたが、それ以前の番組に含まれる番組予告部分のみを対象に番組予約を行うようにしてもよい。これにより、前回までの番組内容の概略を把握することによって話の流れを知ることができ、しかも番組予告部分のみが記録されるためこのために必要な記録容量を少なくすることが可能になる。
【図面の簡単な説明】
【００４４】
【図１】一実施形態のデジタル放送受信機の構成を示す図である。
【図２】本実施形態のデジタル放送受信機の動作手順を示す流れ図である。
【符号の説明】
【００４５】
１０  フロントエンド部（Ｆ／Ｅ）
１２  ベースバンド処理部
１４  データ分離部
１６  音声／映像デコード部
１８  アンプ
２０  制御部
２２  画像合成部
２４  番組記録再生処理部
２６  ハードディスク装置
２８  操作部
３０  アンテナ
３２  ディスプレイ装置
３４  スピーカ
１００  デジタル放送受信機
【図１】
2005184282.tif 000003
【図２】
2005184282.tif 000004